(57)【特許請求の範囲】
【請求項１】
内周壁の所要の高さ位置において、ハンモックとヘッドバンドおよびこれらを内部に装着する取付け用ハンガーからなる着装体を取付けるため、複数の係合支柱を一体的に形成した合成樹脂製の帽体を構成するに際し、
前記複数の係合支柱を、前記所要の高さ位置における内接円の中心を通る長径軸線に対して左右対称となるよう均等に、かつ少なくともその一つが内接円と、この内接円の中心を通る短径軸線の交点に位置する内周壁に配置し、
前記内接円と、この内接円の中心を通る短径軸線の交点に位置する内周壁に配置した係合支柱をアゴ紐の取付け部とし、
前記取付け用ハンガーが、所要の幅と長さとを有する一対の合成樹脂製の帯状体からなるものであって、それぞれ所要の部位に、前記一方側に配置された係合支柱を受け入れ、かつ前記ハンモックを構成するハンモックテープの一端を係合保持する係合片が設けられるとともに、その内周部にヘッドバンドを係合保持する支持片を一体的に設けたものとしたこと
を特徴とする産業用安全帽。
【請求項２】
前記ヘッドバンドが、
頭の全周に亙って装着可能な長さで、かつ後頭部において両端部が互いに重ね合わせ可能な柔軟性を有する熱可塑性合成樹脂からなる帯状体で形成され、
この帯状体の一方の端部を固定部とし、この固定部の表面の両側縁に長手方向に沿って側壁を形成し、この対向する側壁の前後部にブリッジを架橋させるとともに、側壁間に囲まれた表面部に前後方向に沿ってラチエット歯を形成し、
他方の端部を可動部とし、その裏面に前記固定部のラチエット歯と噛み合うラチエット歯を形成し、もって長さを調節自在としたこと
を特徴とする請求項１に記載の産業用安全帽。
【請求項３】
前記ヘッドバンドが、
頭の全周に亙って装着可能な長さで、かつ後頭部において、両端部が互いに重ね合わせ可能な、柔軟性を有する熱可塑性合成樹脂からなる帯状体で形成されるとともに、
前記取付けハンガーの内周部に設けられた支持片と対応する部位に、前記支持片と係合するスリットを上下方向に所要の間隔を存して形成したこと
を特徴とする請求項1又は２に記載の産業用安全帽。
【請求項４】
前記アゴ紐が、
熱可塑性の合成繊維製の織りテープからなるのもであって、
その基端部に、前記係合支柱と係合する長孔を形成するとともに、長孔の周辺部を押圧状態で加熱して板状とし、
前記内接円と、この内接円の中心を通る短径軸線の交点に配置した係合支柱に前記長孔を係合保持させたこと
を特徴とする請求項１に記載の産業用安全帽。
【発明の詳細な説明】
【０００１】
【発明の属する技術分野】
この発明は、工事現場や製造工場の現場などにおいて、物体の飛来又は落下による危険あるいは墜落による危険等に対して、頭部を保護するために作業者が着用する産業用安全帽に関するものである。
【０００２】
【従来の技術】
頭部を保護するために着用するヘルメット、保安帽、保護帽などと称される産業用安全帽は、一般に、着用者の頭部を覆う帽体の内側に、ハンモックとヘッドバンドとがハンモック取付けハンガーに取付けられた着装体と、アゴ紐等を装着した構成からなるもので、ハンモックの支持手段については４点、６点あるいは８点支持のものが知られている。
【０００３】
また、アゴ紐の装着手段については、着装体の一部として装着されたヘッドバンドに取付けられるミミ紐や、ハンモック取付けハンガーに装着されたミミ紐を介してアゴ紐を連結したものが一般的であるが、なかには、帽体内側の周縁部にミミ紐の取付け部を別途に設け、ミミ紐を介してアゴ紐を連結するよう構成されているものも見受けられる。
【０００４】
【発明が解決しようとする課題】
これら従来の産業用安全帽は、ミミ紐が不可欠の部品であるため、着装体の構成が複雑化せざるを得ず、部品点数や組立て工数が多くなるとともに、取付け不良が生じ易いという問題がある。
【０００５】
また、アゴ紐がミミ紐に遊びを持って挿通されているので、帽体に前後方向から衝撃が加わったような場合、ミミ紐の張設の仕方や頭部とヘッドバンドとの密着状態によっては、ミミ紐とアゴ紐との支点がずれて帽子が脱げ落ちるなどの問題がある。
一方、ミミ紐を介することなくアゴ紐を取付ける場合には、帽体の周縁部に着装体の取付け部とは別に付加的な取付け部を設けてアゴ紐を固定するか、あるいはリベット等で帽体にアゴ紐を固定する以外には手段がなかった。
【０００６】
この発明はかかる現状に鑑み、帽体ならびに着装体の構成を簡素化するとともに、帽体には着装体の取付け部以外にアゴ紐を取付けるための特別な手段を必要とせず、また、ミミ紐を介することなくアゴ紐を簡単かつ確実に装着することができ、脱落するおそれのない、着装安定性に優れた産業用安全帽を提供せんとするものである。
【０００７】
【課題を解決するための手段】
前記の目的を達成するため、この発明の請求項１に記載の発明は、
内周壁の所要の高さ位置において、ハンモックとヘッドバンドおよびこれらを内部に装着する取付け用ハンガーからなる着装体を取付けるため、複数の係合支柱を一体的に形成した合成樹脂製の帽体を構成するに際し、
前記複数の係合支柱を、前記所要の高さ位置における内接円の中心を通る長径軸線に対して左右対称となるよう均等に、かつ少なくともその一つが内接円と、この内接円の中心を通る短径軸線の交点に位置する内周壁に配置し、
前記内接円と、この内接円の中心を通る短径軸線の交点に位置する内周壁に配置した係合支柱をアゴ紐の取付け部とし、
前記取付け用ハンガーが、所要の幅と長さとを有する一対の合成樹脂製の帯状体からなるものであって、それぞれ所要の部位に、前記一方側に配置された係合支柱を受け入れ、かつ前記ハンモックを構成するハンモックテープの一端を係合保持する係合片が設けられるとともに、その内周部にヘッドバンドを係合保持する支持片を一体的に設けたものとしたこと
を特徴とする産業用安全帽である。
【０００８】
かかる構成を採用することによって、帽体内に着装体を取付けるための係合支柱を設ける以外は、アゴ紐を取付けるための取付け手段を必要とせず、ミミ紐を削減し、また、ミミ紐を介することなくアゴ紐を簡単かつ確実に装着することができ、アゴ紐が帽体から脱落することがない。
【０００９】
また、この発明の請求項２に記載の発明は、
前記ヘッドバンドが、
頭の全周に亙って装着可能な長さで、かつ後頭部において両端部が互いに重ね合わせ可能な柔軟性を有する熱可塑性合成樹脂からなる帯状体で形成され、
この帯状体の一方の端部を固定部とし、この固定部の表面の両側縁に長手方向に沿って側壁を形成し、この対向する側壁の前後部にブリッジを架橋させるとともに、側壁間に囲まれた表面部に前後方向に沿ってラチエット歯を形成し、
他方の端部を可動部とし、その裏面に前記固定部のラチエット歯と噛み合うラチエット歯を形成し、もって長さを調節自在としたこと
を特徴とする請求項１に記載の産業用安全帽である。
【００１０】
また、この発明の請求項３に記載の発明は、
前記ヘッドバンドが、
頭の全周に亙って装着可能な長さで、かつ後頭部において、両端部が互いに重ね合わせ可能な、柔軟性を有する熱可塑性合成樹脂からなる帯状体で形成されるとともに、
前記取付けハンガーの内周部に設けられた支持片と対応する部位に、前記支持片と係合するスリットを上下方向に所要の間隔を存して形成したこと
を特徴とする請求項1又は２に記載の産業用安全帽である。
【００１１】
さらに、この発明の請求項４に記載の発明は、
前記アゴ紐が、
熱可塑性の合成繊維製の織りテープからなるのもであって、その基端部に、前記係合支柱と係合する長孔を形成するとともに、長孔の周辺部を押圧状態で加熱して板状とし、
前記内接円と、この内接円の中心を通る短径軸線の交点に配置した係合支柱に前記長孔を係合保持させたこと
を特徴とする請求項１に記載の産業用安全帽である。
【００１２】
【発明の実施の形態】
以下、この発明の産業用安全帽の好ましい実施の形態について添付の図面を参照して説明する。
【００１３】
この発明の産業用安全帽１は、帽体２と、ハンモック３とヘッドバンド４とを前記帽体２に装着するための取付けハンガー５と、アゴ紐６とから構成されるもので、この発明においては、前記ハンモック３とヘッドバンド４および取付けハンガー５を含めて着装体と表現する場合もある。
【００１４】
前記帽体２は、高密度ポリエチレン、アクリロニトリル・ブタジエン・スチレン（ＡＢＳ樹脂）、ポリカーボネートなどの耐衝撃性に優れる合成樹脂からなるものであって、その内周壁の所要の部位に、前記取付けハンガー５を介してハンモック３とヘッドバンド４とを装着するための係合支柱２１，２１・・・が一体的に設けられるものである。
この発明においては、帽体２を頭部に装着したとき、前記装着体が最も好適な位置になるよう開口縁２ａから所要の高さで、かつ当該高さ位置における楕円形状の内接円Ｃの中心Ｏを通る短径軸ａ線と内周壁との交点Ｐ，Ｐにアゴ紐６を係合保持する係合支柱２１，２１を設けるとともに、前記中心Ｏを通る長径軸Ａ線に対して左右対称となるよう他の係合支柱２１，２１・・・を配置するもので、図２においては計６つを左右対称に配している。
【００１５】
頭部に直接当接するハンモック３は、所要の径のリング体３ａと、このリング体３ａに移動自在な状態で係合する６個のリング状のハンモックテープ３ｂからなるもので、各ハンモックテープ３ｂの他端部は、後述の取付けハンガー５と係合することによって帽体２内に保持されるもので、丈夫で加工性のよいものであれば、その材質には特段の制限はない。
【００１６】
ヘッドバンド４は、全体が緩やかな円弧状を描き、かつ所要の幅と長さとを有する低密度ポリエチレンなど比較的に柔軟性のある合成樹脂からなるバンド主体４ａの上縁部に所要の間隔を存して４つの突出部４ｂを一体的に形成し、この突出部４ｂに２つのスリット４ｃを上下方向に間隔を存して形成して、取付けハンガー５の装着部としている。
また、このバンド主体４ａの両端部近傍の下縁部に、それぞれ帯状の延出部４ｄ，４ｅを一体的に形成し、長さの短い延出部４ｅの表面側の両側縁に長手方向に沿って高さの低い側壁４ｆ，４ｆをそれぞれ形成し、両側壁４ｆ，４ｆ間に一対のブリッジ４ｇ，４ｇを架橋し、かつ前記側壁４ｆ，４ｆと一対のブリッジ４ｇ，４ｇに囲まれた表面部にラチエット歯Ｒを設け、他方の長い延出部４ｄの裏面には、前記ラチエット歯Ｒに噛み合うラチエット歯ｒを形成したものである。
前記の延出部４ｄの先端部を、前記前方のブリッジ４ｇ（図３における右側）から挿入し、所定の位置、すなわち着用者の頭の大きさにフィットする位置で挿入を停止すると、互いのラチエット歯Ｒ，ｒが噛み合い緩むことがなく、緩めるに際しては、側壁４ｆ，４ｆを内側に押圧して撓ませると簡単に噛み合いを解除させることができる。
【００１７】
なお、バンド主体４ａの表面側のほぼ中央部には、一対の円筒状の突起４ｈ，４ｈが所要の間隔を存して形成されているが、この突起４ｈ，４ｈは、帽体２の前側の内周壁とヘッドバンド４との間隔を一定に保持するためのものである。
【００１８】
前記ハンモック３とヘッドバンド４を帽体２に装着するための取付けハンガー５は、所要の幅と長さとを有する一対の合成樹脂製の帯状体５ａ（図４においては一方のみを表示）からなるものであって、それぞれ所要の部位に、前記内周壁に配置された一方側の複数の係合支柱２１を受け入れ、かつ前記ハンモック３を構成するハンモックテープ３ｂの一端を係合保持する平面視逆三角形状の３つの係合片５ｂ，５ｂ，５ｂが一体的に設けられている。
また、前記帯状体５ａの一部を帽体２の内側方向に向けて浮かせ、その上縁の一部を上方に延出させて張出し縁５ｃ，５ｃを形成し、この張出し縁５ｃ，５ｃの表面に釦状の支持片５ｄ，５ｄを突設したものである。
この支持片５ｄ，５ｄを、図３に示すように、前記ヘッドバンド４のスリット４ｃと係合させることによってヘッドバンド４を係合保持し、各係合片５ｂの先端側の係合部５ｅに、帽体２の内周壁に突設した係合支柱２１を係合保持させることによって、ハンモック３とヘッドバンド４とを帽体２内に装着するものである。
【００１９】
なお、ハンモックテープ３ｂの係合片５ｂへの装着は、図１に示すように、一本のハンモックテープ３ｂをリング体３ａに係合させたのち、その一端側を係合片５ｂに挿通し、しかるのち互いの端部を重ね合わせ、その重ね合わせ部を縫付けることによって行うものである。
【００２０】
アゴ紐６は、所要長の熱可塑性合成繊維からなる一対の織りテープ６ａ，６ｂからなるもので、各織りテープ６ａ，６ｂの一端部には帽体２の内周壁に突設された係合支柱２１と係合するための長孔６ｃが穿たれるとともに、この長孔６ｃの周縁部（図５における点表示部）を、押圧しながら加熱して板状に成形し強度の向上を図ったもので、一方の織りテープ６ａの他端部には雄型のバックル片７ａを、他方の織りテープ６ｂの他端部には、雌型のバックル片７ｂを固定したものである。
【００２１】
かかるアゴ紐６の帽体２への取付けは、図６に示すように、帽体２の左右の内周壁に対称的に配置された係合支柱のうち、楕円形状の内接円の中心軸を通る短径軸ａ線の交点Ｐ，Ｐに位置する内周壁に形成された係合支柱２１に、各織りテープ６ａ，６ｂの長孔６ｃを係合させ、ついで、取付けハンガー５の中央部に位置する係合片５ｂの空隙部に、係合支柱２１に挿入し、この係合支柱２１を、係合孔５ｅ内に落とし込み係合保持させることによって行うものである。
【００２２】
【発明の効果】
この発明の産業用安全帽は、ハンモック及びヘッドバンドを装着した取付けハンガーを帽体に取付けるに際し、複数の係合支柱を、内周壁の所要の高さ位置における内接円の中心を通る長径軸線に対して左右対称となるよう均等に、かつ少なくともその一つが内接円と、この内接円の中心を通る短径軸線の交点に位置する内周壁に配置し、この交点に位置する内周壁に配置した係合支柱をアゴ紐の取付け部としたので、アゴ紐の取付け構造を大幅に簡略化できるとともに、従来のようにミミ紐を介することなくアゴ紐を簡単かつ確実に帽体に装着することができ、アゴ紐が帽体から脱落するおそれがない。
【００２３】
特に、この発明の産業用安全帽は、前記のように内周壁の特定の部位、すなわち帽体の中心にアゴ紐が位置するよう係合支柱を設けたので、確実に装着者のアゴにアゴ紐をセットさせることができ、ミミ紐を不要とすることによって部品点数を少なくし、帽体への着装体の装着工程を簡略化させることができる。
【００２４】
また、取付けハンガーは、帽体の内周壁に特定の条件のもとに左右対称に配置されているので安定性が極めて高く、係合支柱から外れるおそれがなく、ヘッドバンドの揺れが少なく、アゴ紐自体が直接帽体に取付けられているので、帽体に前後方向から衝撃を受けた場合においても、ヘッドバンドの密着固定状態と相俟って優れた装着安定性を奏するものである。
【図面の簡単な説明】
【図１】  この発明に係る産業用安全帽の一部を切欠いた側面図である。
【図２】  図１における帽体の裏面平面図である。
【図３】  取付けハンガーにヘッドバンドを装着した状態を示す説明図である。
【図４】  一方の取付けハンガーの裏面図である。
【図５】  アゴ紐の説明図である。
【図６】  帽体へのアゴ紐の装着法を表す説明図である。
【符号の説明】
１         産業用安全帽
２         帽体
２１       係合支柱
３         ハンモック
４         ヘッドバンド
５         取付けハンガー
６         アゴ紐
Ｃ         内接円
Ａ         長径軸
ａ         短径軸
Ｏ         内接円の中心
【図１】
0003979042.tif 000002
【図２】
0003979042.tif 000003
【図３】
0003979042.tif 000004
【図４】
0003979042.tif 000005
【図５】
0003979042.tif 000006
【図６】
0003979042.tif 000007